(57)【要約】【課題】材料無駄を無くす。【解決手段】棒状部材１７の両端を端子部１１，１２としてその一方１１を撓み空間１１ａを挟んだ対の弾性当接部１１ｂからなるプレスフィットとし、その中程に凹凸部１３ａからなる抜け止め部１３を形成したプレスフィット端子１０である。この端子１０は、棒状部材１７をプレス加工することによって、プレスフィット端子部１１（撓み空間１１ａを挟んだ対の弾性当接部１１ｂ）及び抜け止め部１３（凹凸部１３ａ）を形成する。同一太さであれば、平板からの棒状部材の取り合いもその切断線が直線状となって駄肉ａは極力少なくなる。プレス加工によれば、凹凸の形成は容易であり、その形成は一回の加工で可能である。このため、安価なプレスフィット端子１０を得ることができ、その製造コストも安価となる。【選択図】図１
2006156350.tif 000002
【特許請求の範囲】
【請求項１】
棒状部材（１７）の両端を端子部（１１，１２）としてその一方（１１）をプレスフィットとし、その中程に抜け止め部（１３）を形成したプレスフィット端子（１０）において、
上記プレスフィット端子部（１１）は撓み空間（１１ａ）を挟んだ対の弾性当接部（１１ｂ，１１ｂ）からなり、上記抜け止め部（１３）は凹凸部（１３ａ）からなり、そのプレスフィット端子部（１１）及び抜け止め部（１３）が、棒状部材（１７）をプレス加工して前記撓み空間（１１ａ）を挟んだ対の弾性当接部（１１ｂ，１１ｂ）及び凹凸部（１３ａ）を形成して形成されていることを特徴とするプレスフィット端子。
【請求項２】
上記凹凸部（１３ａ）が上記棒状部材（１７）の軸方向に波状となっていることを特徴とする請求項１に記載のプレスフィット端子。
【請求項３】
上記棒状部材（１７）が平板（６）から打ち抜いた物であって、その打ち抜き面に上記抜け止め部（１３）の凹凸部（１３ａ）がプレス加工により形成されていることを特徴とする請求項１又は２に記載のプレスフィット端子。
【請求項４】
上記凹凸部（１３ａ）の凸部が上記棒状部材（１７）の外面より張り出していることを特徴とする請求項１乃至３のいずれかに記載のプレスフィット端子。
【請求項５】
請求項１乃至４のいずれかに記載のプレスフィット端子（１０）の製造方法であって、上記撓み空間（１１ａ）を挟んだ対の弾性当接部（１１ｂ，１１ｂ）及び凹凸部（１３ａ）に対応するプレス面を有する対の金型（１８，１８）の間に棒状部材（１７）を介在し、その対の金型（１８，１８）を前記棒状部材（１７）を介在して合わせることによって、前記撓み空間（１１ａ）を挟んだ対の弾性当接部（１１ｂ）及び凹凸（１３ａ）部をプレス加工して形成することを特徴とするプレスフィット端子の製造方法。
【請求項６】
上記棒状部材（１７）が平板（６）から打ち抜いた物であって、その打ち抜きにより、上記他方の端子部（１２）を形成するようにしたことを特徴とする請求項５に記載のプレスフィット端子の製造方法。
【請求項７】
請求項５に記載のプレスフィット端子（１０）の製造方法において、上記棒状部材（１７）が引き抜き棒材である場合、上記対の金型（１８，１８）を前記棒状部材（１７）を介在して合わせることによって、前記撓み空間（１１ａ）を挟んだ対の弾性当接部（１１ｂ，１１ｂ）及び凹凸部（１３ａ）のみならず、上記他方の端子部（１２）をもプレス加工して形成することを特徴とするプレスフィット端子の製造方法。
【請求項８】
上記プレス加工を一回としたことを特徴とする請求項５乃至７の何れかに記載のプレスフィット端子の製造方法。
【発明の詳細な説明】
【技術分野】
【０００１】
この発明は、基板のスルーホール内に圧入して、そのスルーホールに電気的に接続するとともに機械的に固着されるプレスフィット端子及びその製造方法に関するものである。
【背景技術】
【０００２】
プレスフィット端子は、図８に示すように、棒状部材の両端に端子部１１、１２を形成して、その一方１１をプレスフィットとし、その中程に抜け止め部１３を形成したものが一般的であり（特許文献１参照）、例えば、自動車のアンチロック・ブレーキ・システム（ＡＢＳ）用アクチュエータユニットにおいては、図９に示すように、そのケーシング１外側面に電源用コネクタや制御用コネクタ２を設け、そのコネクタ２からコントロール基板３への接続端子として使用される（特許文献２参照）。
【特許文献１】特開２００４−２２１６９号公報
【特許文献２】特開平１０−２０８７９８号公報
【０００３】
その使用態様は、図９、図１０に示すように、プレスフィット端子１０を、ケーシング１にその樹脂成形時に埋設したり（インサート樹脂成形したり）、ケーシング１の穴に圧入して設けている。このとき、抜け止め部１３の成形樹脂内への食い込みでもってケーシング１との一体化を図っている。
このプレスフィット端子１０を設けたケーシング１にコントロール基板３を、図９、図１０矢印に示すように装填すると、その基板３のスルーホール４にプレスフィット端子部１１が圧縮されつつ圧入され、その圧縮による反発力によって、端子１０（プレスフィット端子部１１）を基板３に固着するとともに、基板３上の回路にそのスルーホール４内面の接続導体４ａを介して電気的に接続される（特許文献２参照）。図中、５は回路に組み込まれた電子部品である。
【０００４】
このプレスフィット端子１０の製造方法として、図１１に示すように、平板６から棒状部材７を打ち抜き、その打ち抜き時に、端子部１２及び抜け止め部１３を形成し、プレスフィット端子部１１はプレス加工によって形成するものがある。
【発明の開示】
【発明が解決しようとする課題】
【０００５】
この製造方法によって製造されたプレスフィット端子１０は、その抜け止め部１３の凹凸部が棒状部材７の外面から突出又は没している。このため、平板６における棒状部材７の取り合いは、同図鎖線に示す態様となる。この取り合いは、材料無駄（屑部材）ａが多く、一枚の平板６からのプレスフィット端子１０の取り数が少ないものとなっている。この材料無駄ａは、コストダウンを要求される今日、改善する必要がある。
【０００６】
この発明は、駄肉ａを少なくすことを課題とする。
【課題を解決するための手段】
【０００７】
上記課題を達成するために、この発明は、棒状部材をプレス加工することによって、プレスフィット端子部及び抜け止め部を形成することとしたのである。
棒状部材は、平板からの取り合いもその切断線がほぼ直線状となって駄肉ａは極力少なくなる（図１参照）。また、棒状部材は、引き抜きによっても安価に得ることもできる。
一方、プレス加工によれば、凹凸の形成は容易であり、その形成は一回の加工で可能である。また、凹凸の形成度合（凸部の突出度合）も、プレス時の凹部の絞り度合（深さ度合）によって調整可能である。
【発明の効果】
【０００８】
この発明は、以上のように、棒状部材を、プレス加工することによってプレスフィット端子部及び抜け止め部を形成するようにしたので、安価なプレスフィット端子を得ることができるとともに、その製造コストも安価となる。
【発明を実施するための最良の形態】
【０００９】
この発明の実施形態としては、棒状部材の両端を端子部としてその一方をプレスフィットとし、その中程に抜け止め部を形成したプレスフィット端子において、前記プレスフィット端子部は撓み空間を挟んだ対の弾性当接部からなり、前記抜け止め部は凹凸部からなり、そのプレスフィット端子部及び抜け止め部が、棒状部材をプレス加工して前記撓み空間を挟んだ対の弾性当接部及び凹凸部を形成して形成されている構成を採用できる。
【００１０】
上記凹凸部は食い込み機能を発揮する態様であれば、その態様は任意であり、例えば、上記棒状部材の軸方向に波状となっているものとし得る。その波状には、曲線状のみならず、ノコ刃状（Ｖ溝状）等が考え得る。
また、上記凹凸部の凸部が棒状部材の外面より張り出しているようにすれば、上記ケーシングの樹脂成形時、プレスフィット端子をインサートする際（インサート樹脂成形する際）、その凹凸部の食い込み機能が向上し、また、ケーシングの穴にその凹凸部（抜け止め部）を圧入して、プレスフィット端子をそのケーシングに取り付ける際には、その抜け止め部がケーシングの穴内面に食い込んで、両者の食い付きがよく、プレスフィット端子をケーシングにしっかり取り付けることができる。
【００１１】
この構成のプレスフィット端子は、従来の周知の種々の製造方法によって製造可能であるが、例えば、上記撓み空間を挟んだ対の弾性当接部及び凹凸部に対応するプレス面を有する対の金型の間に棒状部材を介在し、その対の金型を前記棒状部材を介在して合わせることによって、前記撓み空間を挟んだ対の弾性当接部及び凹凸部をプレス加工して形成することができる。
【００１２】
このとき、上記プレスフィット端子部以外の端子部もプレス加工によって形成することはできるが、上記棒状部材が平板から打ち抜いた物の場合、その打ち抜きにより、そのプレスフィット端子部以外の端子部を形成することもできる。
また、上記棒状部材が平板から打ち抜いた物であれば、その打ち抜き面に上記抜け止め部の凹凸部をプレス加工により形成するようにすると良い。一般的に、打ち抜き面は粗いため、その面の凹凸面は抜け止め作用の高いものとなる。
【００１３】
上記棒状部材が引き抜き棒材であれば、プレス加工により、上記撓み空間を挟んだ対の弾性当接部及び凹凸部のみならず、上記プレスフィット端子部以外の端子部をも形成することとなる。
プレス加工は、その回数が少ない方が好ましく、できるだけ、一回によって、上記撓み空間を挟んだ対の弾性当接部及び凹凸部、又は上記撓み空間を挟んだ対の弾性当接部、凹凸部及びプレスフィット端子部以外の端子部を形成するようにする。
【実施例】
【００１４】
一実施例を図１、図２に示し、この実施例は、図１鎖線で示すように、まず、平板６から、プレスフィット端子部１１以外の端子部１２を除いて同一太さの棒状部材１７を打ち抜きによって得る。この打ち抜き時、プレスフィット端子部１１以外の端子部１２を先細状とすることによって、鎖線で示す屑部材ａが発生するが、この屑部材ａは小さく、図１１の従来に比べれば、はるかに小さく、資材の無駄は少ない。
【００１５】
つぎに、図２に示すように、その棒状部材１７を、上記撓み空間１１ａを挟んだ対の弾性当接部１１ｂ及び凹凸部１３ａに対応するプレス面を有する対の金型１８，１８の間に介在し、矢印のごとく、その対の金型１８，１８を合わせることによって、撓み空間１１ａを挟んだ対の弾性当接部１１ｂ，１１ｂ及び凹凸部１３ａをプレス加工し、その撓み空間１１ａを挟んだ対の弾性当接部１１ｂ，１１ｂによってプレスフィット端子部１１が形成され、凹凸部１３ａによって抜け止め部１３が形成された図１に示すプレスフィット端子１０を得る。
【００１６】
このプレスフィット端子１０は、撓み空間１１ａと凹凸部１３ａが棒状部材１７の軸心に向かって同一方向に凹み、撓み空間１１ａはその軸心に平行で、凹凸部１３ａはその軸心に非平行となっており、例えば、図９に示したＡＢＳ用アクチュエータユニットにおいては、従来と同様に、図３に示すケーシング１の樹脂成形時にインサートした使用態様とする。この態様において、プレスフィット端子部１１が基板３のスルーホール４に入り込むと、その対の弾性当接部１１ｂが撓み空間１１ａ内に圧縮されつつ圧入され、その圧縮による反発力によって、端子１０を基板３に固着するとともに、基板３上の回路にそのスルーホール４内面の接続導体４ａを介して電気的に接続される。
【００１７】
図４に示すように、プレスフィット端子部１１の先端を円弧面等の先細状とすれば、そのプレスフィット端子部１１を基板３のスルーホール４に嵌め込み易い。また、図５に示すように、棒状部材１７は引き抜きによって得ることができる。この場合、棒状部材１７の断面形状は、図示の円形に限らず、楕円状、四角、六角などの角状等と任意のものとすることができる。
【００１８】
他方の端子部１２も、図１、図４に示すように、四方面が先細状となるようにすることが好ましい。この場合、平板６からの棒状部材１７の打ち抜き時に、その打ち抜きプレスによってその二面（図１の左右面）を先細状としても良く、また、図２に示すプレス加工の前後に別のプレス加工（同図の上下面のプレス加工）によってその二面の先細状を得ても良い。
【００１９】
図６に示すように、ケーシング１外側面に電源用コネクタや制御用コネクタ２を設けたＡＢＳ用アクチュエータユニットにおいては、プレスフィット端子１０をＬ字状に屈曲させて設けることも可能である。
【００２０】
上記各実施例のプレスフィット端子１０において、図７（ａ）〜（ｃ）に示すように、プレス加工による抜け止め部１３の形成時、その凹凸部１３ａの凸部がプレス後の棒状部材１７の外面（プレスフィット端子１０の本体の外面）より張り出しているようにする、すなわち、凸部の幅ｗを棒状部材１７（プレスフィット端子１０）の幅ｔより大きくすることができる。このとき、凸部は、同図（ｃ）に示すように棒状部材１７の両側に張り出しているが、一方の側のみでも良く、また、全ての凸部を張り出させても、一部を張り出させても良い。
その張り出し度合は、下記の食い付き度合を考慮して適宜に設定し、その凸部の張り出し度合（突出度合）は、プレス時の凹部の絞り度合によって適宜に調整する。
【００２１】
このように凸部が張り出れば、ケーシング１の樹脂成形時、プレスフィット端子１０をインサートする際、その凹凸部１３ａ（抜け止め部１３）の食い込み機能が向上し、また、ケーシング１の穴にその凹凸部１３ａを圧入して、プレスフィット端子１０をそのケーシング１に取り付ける際には、その抜け止め部１３がケーシング１の穴内面に食い込んで、両者１、１３の食い付きがよく、プレスフィット端子１０をケーシング１にしっかり取り付けることができる。
【図面の簡単な説明】
【００２２】
【図１】一実施例の製作説明図
【図２】同製作説明図
【図３】同実施例の一使用態様図
【図４】他の実施例の製作説明図
【図５】他の実施例の製作説明図
【図６】実施例の他の使用態様図
【図７】他の実施例を示し、（ａ）は図１に示す実施例の変形例、（ｂ）は図５に示す実施例の変形例、（ｃ）はその各実施例の要部拡大平面図
【図８】従来例の正面図
【図９】ＡＢＳ用アクチュエータユニットの概略分解斜視図
【図１０】同アクチュエータユニットの基板の取付け作用図
【図１１】従来の製作説明図
【符号の説明】
【００２３】
１  ＡＢＳ用アクチュエータユニットのケーシンング
２  同ケーシングのコネクタ
３  コントロール基板
４  スルーホール
５  電子部品
１０  プレスフィット端子
１１  プレスフィット端子部
１１ａ  プレスフィット端子部の撓み空間
１１ｂ  プレスフィット端子部の弾性当接部
１２  他の端子部
１３  抜け止め部
１３ａ  抜け止め部の凹凸部
【図１】
2006156350.tif 000003
【図２】
2006156350.tif 000004
【図３】
2006156350.tif 000005
【図４】
2006156350.tif 000006
【図５】
2006156350.tif 000007
【図６】
2006156350.tif 000008
【図７】
2006156350.tif 000009
【図８】
2006156350.tif 000010
【図９】
2006156350.tif 000011
【図１０】
2006156350.tif 000012
【図１１】
2006156350.tif 000013